(57)【要約】【課題】画像表示装置の位置を遊技盤に対して変更するような場合であっても、球寄せカバーや、収容ケースの設計変更を要しない弾球遊技機を提供する。【解決手段】球寄せカバー等の取付部材を介して画像表示装置を遊技盤に取り付ける構成とし、かつ、取付部材が有する第１係合体と、画像表示装置が有する第２係合体と、の少なくとも一方は、他方に対する位置を遊技盤の高さ方向に変えることができる可変係合部を含む。【選択図】　　　図６
2004129701.tif 000002
【特許請求の範囲】
【請求項１】
遊技領域を含む遊技盤と、画像が表示される装置であり、表示される画像を視認可能に前記遊技盤の所定の位置に設けられる画像表示装置と、を含む弾球遊技機であって、
前記遊技盤の一定の位置に設けられかつ前記画像表示装置を取り付けるための第１係合体を有する取付部材を含み、かつ、
前記画像表示装置は、前記取付部材に取り付けられたときに前記第１係合体に係合する第２係合体を含み、かつ、
前記第１係合体と前記第２係合体との少なくとも一方は、他方に対する位置を前記遊技盤の高さ方向に変えることができる可変係合部を含むことを特徴とする弾球遊技機。
【請求項２】
前記可変係合部は、長尺な形状の開口を有する貫通孔からなり、かつ前記開口の長手方向が前記遊技盤の高さ方向に沿っている請求項１記載の弾球遊技機。
【発明の詳細な説明】
【０００１】
【発明の属する技術分野】
本発明は、画像表示装置が遊技盤に取り付けられる弾球遊技機に関する。
【０００２】
【従来の技術】
従来から、パチンコ遊技機において、液晶表示装置等の画像表示装置は、遊技盤の略中央部に位置付けられている。また、パチンコ遊技機の遊技盤の裏面には、球寄せカバーが取り付けられており、球寄せカバーには、遊技球を流下させるための流下経路が形成されている。遊技盤に設けられた入賞口に入賞した遊技球は、遊技盤の裏面へ移動した後、球寄せカバーに形成された流下経路に案内されて遊技機の下方に流下する。
【０００３】
この球寄せカバーは、流下する入賞球を案内するだけではなく、上述した画像表示装置を取付けるための部材としても用いられる。更に、近年のパチンコ遊技機おいては、画像表示装置の大型化に伴って画像表示装置の配置については大きく変更することはできない。
【０００４】
【特許文献１】
特開平５−１３１０５５号公報（第２８図）
【０００５】
【発明が解決しようとする課題】
しかしながら、遊技釘の位置や、画像表示装置の周辺を覆う飾り部材等の大きさや位置を機種毎に変更する場合があり、このため、これらの変更に応じて画像表示装置の位置も上下方向に機種毎に変更する必要があった。
【０００６】
このような状況において、画像表示装置の位置を変更するには、球寄せカバーや、画像表示装置を収容する収容ケースを、画像表示装置の取付位置に対応させて適宜設計変更せざるを得ず、設計コストが増大するだけでなく、在庫の管理も煩雑になるという不都合も生じていた。
【０００７】
本発明は、上述した如き課題に鑑みてなされたものであり、その目的とするところは、画像表示装置の位置を遊技盤に対して変更するような場合であっても、球寄せカバーや、収容ケースの設計変更を要しない弾球遊技機を提供することにある。
【０００８】
【課題を解決するための手段】
以上のような目的を達成するために、本発明における弾球遊技機は、取付部材を介して画像表示装置を遊技盤に取り付ける構成とするとともに、取付部材が有する第１係合体と、画像表示装置が有する第２係合体と、の少なくとも一方は、他方に対する位置を遊技盤の高さ方向に変えることができる可変係合部を含むことを特徴とする。
【０００９】
より具体的には、本発明は以下の弾球遊技機を提供する。
（１）　遊技領域を含む遊技盤と、画像が表示される装置であり、表示される画像を視認可能に前記遊技盤の所定の位置に設けられる画像表示装置と、を含む弾球遊技機であって、前記遊技盤の一定の位置に設けられかつ前記画像表示装置を取り付けるための第１係合体を有する取付部材を含み、かつ、前記画像表示装置は、前記取付部材に取り付けられたときに前記第１係合体に係合する第２係合体を含み、かつ、前記第１係合体と前記第２係合体との少なくとも一方は、他方に対する位置を前記遊技盤の高さ方向に変えることができる可変係合部を含むことを特徴とする弾球遊技機。
【００１０】
上述した（１）の発明によれば、遊技盤の高さ方向に変えることができる可変係合部を含むので、遊技釘の位置や、画像表示装置の周辺を覆う飾り部材等の大きさや位置が変更されても、画像表示装置の位置を容易に変更することができ、取付部材を新たに設計する必要がなくなり、弾球遊技機の設計コストを抑えたり、在庫の管理を容易にしたりすることができる。
【００１１】
（２）　前記可変係合部は、長尺な形状の開口を有する貫通孔からなり、かつ前記開口の長手方向が前記遊技盤の高さ方向に沿っている請求項１記載の弾球遊技機。
【００１２】
【発明の実施の形態】
以下に、本発明の実施例について図面に基づいて説明する。
本発明に係る弾球遊技機１０の概観を図１に示す。この弾球遊技機１０には、遊技機の外郭保持枠をなす外枠１２と、この外枠１２に開閉自在に軸支される前枠１４とが設けられている。前枠１４には、ガラス扉１６や、遊技球を受けるための上皿１８及び下皿２０や、打球ハンドル２２や、遊技盤２４を収容する収容枠等の各種の部材が設けられている。
【００１３】
ガラス扉１６は、前枠１４の左側の側部に設けられている蝶番１９ａ及び１９ｂにより片持ち状に支持されて、遊技機１０の前側で開閉自在に設けられている。ガラス扉１６には開口部１７が形成されており、開口部１７を介して遊技盤２４に形成された遊技領域２８を遊技者に視認可能にする。
【００１４】
遊技盤２４には、レール２６により区画された遊技領域２８が形成されている。この遊技領域２８の略中央部には、図柄の画像等の種々の画像を表示する画像表示装置３０が設けられている。さらに、遊技領域２８には、画像表示装置３０における図柄の変動開始の条件を定める特定入賞口３２や、遊技が大当たりとなったときに開閉する大入賞口３４や、その他複数の一般入賞口３６及び３８や、多数の遊技釘（図示せず）や、アウト口４４も設けられている。
【００１５】
上述した打球ハンドル２２を遊技者が回動操作したときには、上皿１８から打球発射部（図示せず）へ遊技球が１個ずつ供給され、遊技球は、打球ハンドル２２の回動操作に応じた強度で、打球発射装置（図２に示す７０）によって遊技領域２８に打球として発射される。
【００１６】
遊技領域２８に発射された打球は、上述した風車や遊技釘との接触を繰り返して移動方向を変えながら落下し、上述した各種の入賞口３２〜３８やアウト口４４に流入する。打球が、いずれかの入賞口３２〜３８に入賞したときには、所定数の遊技球が賞球として上皿１８又は下皿２０に払い出される。
【００１７】
画像表示装置３０には、所定のデモ画像や図柄の画像が表示される。上述した特定入賞口３２に打球が入賞したときには、画像表示装置３０に表示された図柄の変動を開始し、所定の動画像や図柄の変動態様が所定時間だけ表示された後、図柄の変動を停止する。図柄の変動を停止したときに、画像表示装置３０に表示された図柄の停止態様が特定の場合、例えば、図柄が示す数値が１〜９のいわゆるぞろ目となった場合には、遊技は大当たりとなる。遊技が大当たりとなったときには、画像表示装置３０において所定のデモ画像が表示された後、上述した大入賞口３４が開放状態となり、打球が大入賞口３４に流入可能となる。
【００１８】
弾球遊技機１０の背面の全体を図２に示す。背面においては、裏セット盤５０が前枠１４に着脱自在に設けられている。尚、裏セット盤５０の中央部には開口部５２が形成されている、なお、図２においては、開口部５２に位置付けられている画像表示装置３０の背面と球寄せカバー８２とについては省略して示した。
【００１９】
図２に示すように、裏セット盤５０には、賞球用予備タンク５４、賞球路５６、電源回路５８、音声制御装置６０、賞球払出装置６２、主制御回路６４、賞球制御装置６６、発射制御回路６８、及び発射装置７０等の各種の装置が設けられている。
【００２０】
賞球用予備タンク５４は、賞球を一時的に蓄えるタンクであり、蓄えられた賞球は、賞球路５６に導かれて上述した上皿１８や下皿２０に払い出される。電源回路５８は、弾球遊技機１０に用いられている種々の制御回路や電動部品に電源を供給するための回路である。音声制御装置６０は、遊技の進行に合わせて効果音等の所定の音声を発する制御をするための装置である。
【００２１】
賞球制御装置６６は、打球が、入賞口３２〜３８に入賞したとき等の所定の場合に、所定の数の賞球を払い出すために賞球払出装置６２に対して賞球命令を発する。賞球命令を受信した賞球払出装置６２は、所定の数の賞球を上皿１８や下皿２０に払い出す。主制御回路６４は、弾球遊技機１０の全体を制御する回路である。発射制御回路６８は、打球ハンドル２２から発せられた制御信号を受信し、発射装置７０に駆動信号を発する。駆動信号を受信した発射装置７０は、遊技球を遊技領域２８に打球として発射する。
【００２２】
上述した裏セット盤５０を前枠１４から取り外したときの背面を図３に示す。
【００２３】
遊技盤２４の上側と下側とには、位置決め用の貫通孔７２、７４及び７６が形成されている。一方、前枠１４には、これらの貫通孔７２、７４及び７６に対応する位置にピン（図示せず）が形成されている。前枠１４に形成されたピンが、貫通孔７２、７４及び７６に嵌挿されるように遊技盤２４を前枠１４に設けることにより、遊技盤２４は、前枠１４の所定の位置に取り付けられる。
【００２４】
遊技盤２４の下側には、上述したアウト口４４が形成されている。また、遊技盤２４の上側には、貫通孔７８及び８０も形成されている。遊技盤２４の前面には、飾り部材（図示せず）が取り付けられ、飾り部材の背後には、飾り部材による演出効果を高めるための電球が設けられている。この飾り部材の電球に電源を供給するための導電線が、貫通孔７８及び８０を介して配線される。
【００２５】
遊技盤２４の略中央部には、上側の球寄せカバー８２と下側の球寄せカバー８４とが設けられている。遊技盤２４はベニヤ合板等の比較的加工しやすい材料で形成され、上側の球寄せカバー８２と下側の球寄せカバー８４とは、ＡＢＳ・ＰＣ（ポリカーボネイト）・ＰＯＭ（ポリアセタール）等の樹脂で形成されている。球寄せカバー８２と８４とは、締結部材、例えば木ねじ等により遊技盤２４の背面の一定の位置に取り付けられる。後述するように、球寄せカバー８２の略中央には、画像表示装置３０が取り付けられる。
【００２６】
更に、遊技盤２４の略中央には、図中の破線で示す開口部８６が形成されている。画像表示装置３０が球寄せカバー８２に取り付けられたときには、画像表示装置３０に表示される画像を遊技者が視認できるように、この開口部８６を介して位置付けられる。
【００２７】
以下に、第１の実施形態による画像表示装置と球寄せカバー８２とを図４〜図６に示す。
【００２８】
上述した球寄せカバー８２に画像表示装置３０が取り付けられた状態を図４に示す。尚、図４の左側半分は、球寄せカバー８２のみを示し、右側半分は、球寄せカバー８２と画像表示装置３０とを示す。また、球寄せカバー８２の裏面には、図中の破線で示すリブ８８が形成されている。このリブ８８は、遊技球の流下経路を定めるもので、入賞口に入賞した遊技球は、遊技盤の裏面へ移動した後、リブ８８によって形成された流下経路に案内されて遊技機の下方に流下する。
【００２９】
球寄せカバー８２の右側及び左側には、プリント配線基板を支持するためのリブ９０及び９２、並びに支持爪９４及び９６や、プリント配線基板を球寄せカバー８２に固定するためのねじ穴９８及び１００が形成されている。
【００３０】
また、球寄せカバー８２に画像表示装置３０が取り付けられたときに、画像表示装置３０の表示面が球寄せカバー８２によって遮られないようにするために、球寄せカバー８２の中央部には開口１０２が形成されている。開口１０２の近傍の４箇所には、球寄せカバー８２から突出するボス１０４ａ、１０４ｂ、１０４ｃ及び１０４ｄが形成されている。
【００３１】
これらのボス１０４ａ、１０４ｂ、１０４ｃ及び１０４ｄは、図６に示すように、円筒形の円筒部１０６と、円筒部１０６の底面の近傍に形成された三角形の４枚の補助板１０８ａ〜１０８ｄと、からなる。円筒部１０６の先端から円筒部１０６の内部に向かって、円筒部１０６の長手方向に沿ってねじ穴が形成されている。尚、図６においては、図中の矢印が示す方向が、遊技盤２４又は弾球遊技機１０の前方である。更に、図６においては、球寄せカバー８２を二点破線で示した。
【００３２】
また、画像表示装置３０の正面図を図５（ａ）に示し、側面図を図５（ｂ）に示す。画像表示装置３０は、プラスチック等の樹脂からなる筐体１１０と、液晶ディルプレイパネル等の表示部品１１２と、を含む。更に、画像表示装置３０は、表示部品１１２を制御するための制御回路（図示せず）も含む。
【００３３】
画像表示装置３０の筐体１１０の側面には、筐体１１０の側方に突出するように係合体１１４ａ、１１４ｂ、１１４ｃ及び１１４ｄが形成されている。係合体１１４ａ、１１４ｂ、１１４ｃ及び１１４ｄの形状は、画像表示装置３０の奥行き方向に所定の厚さを有する略直方体である。尚、ここで、奥行き方向とは、図５（ａ）の正面図の場合には、紙面に対して垂直な方向であり、図５（ｂ）の側面図の場合には、紙面の左右の方向である。
【００３４】
係合体１１４ａ、１１４ｂ、１１４ｃ及び１１４ｄの各々には、可変係合部１１６が正面から奥行き方向に所定の深さだけ形成されている。可変係合部１１６の開口部の形状は、図５（ａ）の係合体１１４ａに示すように、複数の円弧を連ねて形成された２つの曲線１１８Ｌと１１８Ｒとが互いに向かい合った形状である。この２つの曲線１１８Ｌと１１８Ｒとの相向かい合う１組の円弧によって１つの仮想的な円が定まる。尚、第１の実施形態においては、２つの曲線１１８Ｌと１１８Ｒとから定まる仮想的な円の数は、５個である。この可変係合部１１６には、後述するように、ボス１０４ａ〜１０４ｄの円筒部１０６が嵌入されて、係合体１１４ａ〜１１４ｄとボス１０４ａ〜１０４ｄとが係合する。
【００３５】
更に、可変係合部１１６の内側には、開口が長円形の貫通孔１２０が奥行き方向に形成されている。貫通孔１２０の開口の長手方向は、画像表示装置３０の側面に沿っており、画像表示装置３０が遊技盤２４に取り付けられたときには、貫通孔１２０の開口の長手方向は、遊技盤の高さ方向となる。尚、後述するように、画像表示装置３０を球寄せカバー８２に取り付けるときには、この貫通孔１２０を介して、ボス１０４ａ〜１０４ｄの円筒部１０６に形成されたねじ穴にねじが螺入される。
【００３６】
画像表示装置３０を球寄せカバー８２に取り付けるときには、ボス１０４ａに係合体１１４ａを対応させ、ボス１０４ｂに係合体１１４ｂを対応させ、ボス１０４ｃに係合体１１４ｃを対応させ、ボス１０４ｄに係合体１１４ｄを対応させる。これにより、ボス１０４ａと係合体１１４ａとが係合し、ボス１０４ｂと係合体１１４ｂとが係合し、ボス１０４ｃと係合体１１４ｃとが係合し、ボス１０４ｄと係合体１１４ｄとが係合する。
【００３７】
以下において、図４の実線の円で示した拡大図に基づいて、画像表示装置３０を球寄せカバー８２に取り付ける過程を説明をする。尚、この拡大図は、ボス１０４ｄと係合体１１４ｄとについて説明する図である。
【００３８】
まず、係合体１１４ｄの可変係合部１１６における２つの曲線１１８Ｌと１１８Ｒとの相向かい合う１組の円弧の間に、ボス１０４ｄの円筒部１０６の先端を嵌入させる。次いで、ボス１０４ｄの円筒部１０６に形成されたねじ穴に貫通孔１２０を介してねじ１２２を螺合させる。これにより、ボス１０４ｄの円筒部１０６に形成されたねじ穴の中心と、可変係合部１１６の相向かい合う１組の円弧から定まる仮想的な円の中心とは一致する。
【００３９】
上述した作業を４つの係合体１１４ａ、１１４ｂ、１１４ｃ及び１１４ｄの全てについて行うことで、画像表示装置３０を球寄せカバー８２に取り付けることができる。
【００４０】
上述したように、第１の実施形態においては、係合体１１４ａ〜１１４ｄの各々の可変係合部１１６における２つの曲線１１８Ｌと１１８Ｒとから定まる仮想的な円の数は、５個である。図６に示すように、この５個の仮想的な円の中心線を、係合体１１４ａについてはａＯ１〜ａＯ５とし、係合体１１４ｂについてはｂＯ１〜ｂＯ５とする。尚、図６には示していないが、係合体１１４ｃについての仮想的な円の中心線をｃＯ１〜ｃＯ５とし、係合体１１４ｄについての仮想的な円の中心線をｄＯ１〜ｄＯ５とする。
【００４１】
画像表示装置３０を球寄せカバー８２に取り付けるときに、係合体１１４ａの中心線ａＯ３にボス１０４ａの中心を一致させ、係合体１１４ｂの中心線ｂＯ３にボス１０４ｂの中心を一致させ、更に、係合体１１４ｃの中心線ｃＯ３にボス１０４ｃの中心を一致させ、係合体１１４ｄの中心線ｄＯ３にボス１０４ｄの中心を一致させる。このように取り付けたときには、可変係合部１１６の長手方向の中央の位置で、画像表示装置３０を球寄せカバー８２に取り付けることができる。尚、以下では、この位置を基準位置とする。
【００４２】
また、係合体１１４ａの中心線ａＯ１やａＯ２にボス１０４ａの中心を一致させ、係合体１１４ｂの中心線ｂＯ１やｂＯ２にボス１０４ｂの中心を一致させ、更に、係合体１１４ｃの中心線ｃＯ１やｃＯ２にボス１０４ｃの中心を一致させ、係合体１１４ｄの中心線ｄＯ１やｄＯ２にボス１０４ｄの中心を一致させて、画像表示装置３０を球寄せカバー８２に取り付けたときには、遊技盤２４の高さ方向に画像表示装置３０を基準位置よりも下に取り付けることができる。
【００４３】
更に、係合体１１４ａの中心線ａＯ４やａＯ５にボス１０４ａの中心を一致させ、係合体１１４ｂの中心線ｂＯ４やｂＯ５にボス１０４ｂの中心を一致させ、更に、係合体１１４ｃの中心線ｃＯ４やｃＯ５にボス１０４ｃの中心を一致させ、係合体１１４ｄの中心線ｄＯ４やｄＯ５にボス１０４ｄの中心を一致させて、画像表示装置３０を球寄せカバー８２に取り付けたときには、遊技盤２４の高さ方向に画像表示装置３０を基準位置よりも上に取り付けることができる。
【００４４】
このようにしたことにより、遊技盤２４の高さ方向の５箇所の異なる位置に画像表示装置３０を取り付けることができる。
【００４５】
上述した第１の実施形態においては、球寄せカバー８２から「取付部材」が構成され、ボス１０４ａ、１０４ｂ、１０４ｃ及び１０４ｄから「第１係合体」が構成され、係合体１１４ａ、１１４ｂ、１１４ｃ及び１１４ｄから「第２係合体」が構成される。また、画像表示装置３０から「画像表示装置」が構成され、可変係合部１１６から「可変係合部」が構成される。
【００４６】
このような構成としたことにより、遊技盤２４の高さ方向に画像表示装置３０の取付位置を変えることができる可変係合部１１６を含むので、遊技釘の位置や、画像表示装置の周辺を覆う飾り部材等の大きさや位置が変更されても、画像表示装置３０の位置を容易に変更することができ、球寄せカバー８２等の取付部材を新たに設計する必要がなくなり、弾球遊技機の設計コストを抑えたり、在庫の管理を容易にしたりすることができる。
【００４７】
本発明の第２の実施形態に係る弾球遊技機の球寄せカバーを図７及び図８に示す。
【００４８】
この第２の実施形態においても、球寄せカバー１３０には、球寄せカバー１３０から突出するボス１３２ａが形成されている。尚、図７に示したボス１３２ａは、図４に示した第１の実施形態のボス１０４ａに対応する。また、図７には、ボス１３２ａのみを示したが、図４に示した球寄せカバー８２の場合と同様に、球寄せカバー１３０には、ボス１０４ａ、１０４ｂ、１０４ｃ及び１０４ｄと同様の位置に、ボス１３２ａ、１３２ｂ、１３２ｃ及び１３２ｄが形成されている。
【００４９】
この第２の実施形態においては、ボス１３２ａを構成する柱体１３４の断面の形状は、図７に示すような半円形と二等辺三角形と組み合わせたような形状、いわゆる雫形の形状である。また、第１の実施形態のボス１０４ａ〜１０４ｄと同様に、ボス１３２ａ、１３２ｂ、１３２ｃ及び１３２ｄの底面の近傍には、三角形の４枚の補助板１３６ａ〜１３６ｄが形成されている。更に、柱体１３４の先端から柱体１３４の内部に向かって、柱体１３４の長手方向に沿ってねじ穴１３８が形成されている。
【００５０】
一方、図８に示すように、第２の実施形態においても画像表示装置１４０の筐体１４２の側面には、係合体１４４ａが形成されている。図８には、係合体１４４ａのみを示したが、図５に示した画像表示装置３０の筐体１１０の場合と同様に、筐体１４２には、係合体１１４ａ、１１４ｂ、１１４ｃ及び１１４ｄと同様の位置に、係合体１４４ａ、１４４ｂ、１４４ｃ及び１４４ｄが形成されている。
【００５１】
尚、この第２の実施形態の場合には、図１又は図３に示した球寄せカバー８２の代わりに球寄せカバー１３０が遊技盤２４に取り付けられ、球寄せカバー１３０に画像表示装置１４０が取り付けられる。
【００５２】
第２の実施形態においては、係合体１４４ａ〜１４４ｄに形成される可変係合部１４６の開口部の形状は、図８に示すような複数の凹部を連ねて形成された辺１４８Ｒと、この辺１４８Ｒに向かい合う直線の辺１４８Ｌと、を含む長尺な形状である。尚、図８に示した係合体１４４ａは、図５に示した第１の実施形態の係合体１１４ａに対応する。また、図８に示したように、この第２の実施形態においては、辺１４８Ｒに形成された凹部の数は９個である。
【００５３】
また、可変係合部１４６は、第１の実施形態の可変係合部１１６と同様に、正面から奥行き方向に所定の深さだけ形成されている。可変係合部１４６の内側には、開口が長円形の貫通孔１５０が奥行き方向に形成されている。貫通孔１５０の開口の長手方向は、画像表示装置１４０の側面に沿っており、画像表示装置１４０が遊技盤２４に取り付けられたときには、貫通孔１５０の開口の長手方向は、遊技盤の高さ方向となる。第１の実施形態と同様に、画像表示装置１４０を球寄せカバー１３０に取り付けるときには、この貫通孔１５０を介して、ボス１３２ａ〜１３２ｄの柱体１３４に形成された穴１３８にねじが螺入される。
【００５４】
画像表示装置１４０を球寄せカバー１３０に取り付けるときには、図８の実線の円で示す拡大図のように、ボス１３２ａの柱体１３４の頂部１５２が可変係合部１４６の辺１４８Ｒの１つの凹部に係合するようにする。上述したように、辺１４８Ｒに形成された凹部の数は９個であるので、異なる９箇所の位置に画像表示装置１４０を球寄せカバー１３０に取り付けることができる。このようにしたことにより、遊技盤２４の高さ方向の９箇所の異なる位置に画像表示装置１４０を取り付けることができる。
【００５５】
更に、ボス１３２ａ〜１３２ｄの柱体１３４の頂部１５２を鋭くし、可変係合部１４６の凹部の各々の幅を狭くしたときには、遊技盤２４の高さ方向に画像表示装置１４０をより多くの異なる位置に微調整して取り付けることができる。
【００５６】
上述した第２の実施形態においては、球寄せカバー１３０から「取付部材」が構成され、ボス１３２ａ、１３２ｂ、１３２ｃ及び１３２ｄから「第１係合体」が構成され、係合体１４４ａ、１４４ｂ、１４４ｃ及び１４４ｄから「第２係合体」が構成される。また、画像表示装置１４０から「画像表示装置」が構成され、可変係合部１４６から「可変係合部」が構成される。
【００５７】
このような構成としたことにより、遊技盤２４の高さ方向に画像表示装置１４０の取付位置を変えることができる可変係合部１４６を含むので、遊技釘の位置や、画像表示装置の周辺を覆う飾り部材等の大きさや位置が変更されても、画像表示装置１４０の位置を容易に変更することができ、球寄せカバー１３０等の取付部材を新たに設計する必要がなくなり、弾球遊技機の設計コストを抑えたり、在庫の管理を容易にしたりすることができる。
【００５８】
また、辺１４８Ｒにより位置決めできるため、第１の実施形態の可変係合部に比べ細かい位置調整が可能である。
【００５９】
以上、本発明に係る第１及び第２の実施形態を示したが、これらは種々の変更が可能である。
【００６０】
例えば、上述した第１の実施形態においては、ボス１０４ａ〜１０４ｄが球寄せカバー８２に一体に形成され、第２の実施形態においては、ボス１３２ａ〜１３２ｄが球寄せカバー１３０に一体に形成されている場合を示した。これに対して、上述したボス１０４ａ〜１０４ｄを球寄せカバー８２と別体にしたり、ボス１３２ａ〜１３２ｄを球寄せカバー１３０と別体にしたりしてもよい。尚、ボスを球寄せカバーと別体にした場合には、ボス１０４ａ〜１０４ｄや、ボス１３２ａ〜１３２ｄが「取付部材」を構成する。
【００６１】
また、上述した第１の実施形態においては、可変係合部１１６が係合体１１４ａ〜１１４ｄに形成され、第２の実施形態においては、可変係合部１４６が係合体１４４ａ〜１４４ｄに形成されている場合を示した。これに対して、可変係合部１１６をボス１０４ａ〜１０４ｄに形成して円筒部１０６に相当する円筒部を係合体１１４ａ〜１１４ｄに形成したり、可変係合部１４６をボス１３２ａ〜１３２ｄに形成して柱体１３４に相当する柱体を係合体１４４ａ〜１４４ｄに形成したりしてもよい。
【００６２】
【発明の効果】
画像表示装置の位置を遊技盤に対して変更するような場合であっても、球寄せカバーや、収容ケースの設計変更を要しないので、弾球遊技機の設計コストを抑えたり、在庫の管理を容易にしたりすることができる。
【図面の簡単な説明】
【図１】本発明に係る弾球遊技機の正面図である。
【図２】本発明に係る弾球遊技機の背面図である。
【図３】本発明による第１の実施形態の弾球遊技機の内部を示す背面図である。
【図４】本発明による第１の実施形態の弾球遊技機の画像表示装置の背面と球寄せカバーとを示す断面図である。
【図５】本発明による第１の実施形態の弾球遊技機の画像表示装置の前面の一部を示す正面図と、画像表示装置の側面を示す側面図である。
【図６】画像表示装置を球寄せカバーに取り付けるときの状態を示す斜視図である。
【図７】本発明による第２の実施形態の弾球遊技機の球寄せカバーの一部を示す部分拡大図である。
【図８】本発明による第２の実施形態の弾球遊技機の画像表示装置の一部を示す部分拡大図である。
【符号の説明】
１０　弾球遊技機
２８　遊技領域
３０　画像表示装置
３２　遊技盤
８２　球寄せカバー（取付部材）
１０４ａ、１０４ｂ、１０４ｃ及び１０４ｄ　ボス（第１係合体）
１１４ａ、１１４ｂ、１１４ｃ及び１１４ｄ　係合体（第２係合体）
１１６　可変係合部
１２０　貫通孔
１３０　球寄せカバー（取付部材）
１３２ａ、１３２ｂ、１３２ｃ及び１３２ｄ　ボス（第１係合体）
１４０　画像表示装置
１４４ａ、１４４ｂ、１４４ｃ及び１４４ｄ　係合体（第２係合体）
１４６　可変係合部
１５０　貫通孔
【図１】
2004129701.tif 000003
【図２】
2004129701.tif 000004
【図３】
2004129701.tif 000005
【図４】
2004129701.tif 000006
【図５】
2004129701.tif 000007
【図６】
2004129701.tif 000008
【図７】
2004129701.tif 000009
【図８】
2004129701.tif 000010